(57)【要約】【課題】新たなバージョンの記録媒体が旧バージョンのドライブにおいて誤動作が生じる可能性を解消する。【解決手段】第２のバージョンの記録媒体には、エラー訂正符号化されたアドレス情報が、第２のバージョンの記録媒体に非対応の再生装置ではアドレス復号が不能となるように変形処理されて記録されるようにする。この第２のバージョンの記録媒体は、非対応の再生装置（例えば第１のバージョンの記録媒体のみに対応して製造された再生装置）では、アドレスデコードができないものとなる。つまり第２のバージョンの記録媒体に非対応の再生装置ではアドレスエラー訂正不能の状態とし、アクセス不能（記録再生が不能）とする。【選択図】図９
2010262713.tif 000002
【特許請求の範囲】
【請求項１】
共にアドレス情報をエラー訂正符号化するデータフォーマットであり、再生時に共通のエラー訂正処理が採用される同一種別の記録媒体としての第１のバージョンと第２のバージョンが存在する記録媒体種別における、上記第２のバージョンとしての記録媒体に対応する記録装置であって、
上記第１のバージョンに対する場合と共通のエラー訂正符号化処理で、アドレス情報をエラー訂正符号化するエラー訂正符号化部と、
上記エラー訂正符号化部で得られるエラー訂正符号化データを、上記第２のバージョンの記録媒体に非対応の再生装置ではアドレス復号が不能となるように変形するエラー訂正符号化データ変形部と、
上記エラー訂正符号化データ変形部から得られるアドレス情報を記録媒体に記録する記録部と、
を備えた記録装置。
【請求項２】
上記エラー訂正符号化データ変形部は、上記エラー訂正符号化データの一部をビット反転する請求項１に記載の記録装置。
【請求項３】
上記エラー訂正符号化データ変形部は、上記エラー訂正符号化データの一部として、上記第２のバージョンの記録媒体に非対応の再生装置での再生時においてシンボルエラー訂正能力を超えるシンボル数の各シンボルについて、ビット反転する請求項２に記載の記録装置。
【請求項４】
上記エラー訂正符号化データ変形部において上記エラー訂正符号化データをビット反転する位置は、上記第２のバージョンの記録媒体に非対応の再生装置での再生時において復号エラーが発生しても、アドレス復号が不能となる位置である請求項２に記載の記録装置。
【請求項５】
上記記録部は、アドレス情報を含む変調信号に応じて蛇行させたウォブリンググルーブとしてアドレス情報を記録媒体に記録する請求項１に記載の記録装置。
【請求項６】
上記記録部は、アドレス情報をメインデータ内アドレスとして記録媒体に記録する請求項１に記載の記録装置。
【請求項７】
共にアドレス情報をエラー訂正符号化するデータフォーマットであり、再生時に共通のエラー訂正処理が採用される同一種別の記録媒体としての第１のバージョンと第２のバージョンが存在する記録媒体種別における、上記第２のバージョンとしての記録媒体に対する記録方法であって、
上記第１のバージョンに対する場合と共通のエラー訂正符号化処理で、アドレス情報をエラー訂正符号化するエラー訂正符号化ステップと、
上記エラー訂正符号化ステップで得られるエラー訂正符号化データを、上記第２のバージョンの記録媒体に非対応の再生装置ではアドレス復号が不能となるように変形するエラー訂正符号化データ変形ステップと、
上記エラー訂正符号化データ変形ステップで得られるアドレス情報を記録媒体に記録する記録ステップと、
を行う記録方法。
【請求項８】
共にアドレス情報をエラー訂正符号化するデータフォーマットであり、再生時に共通のエラー訂正処理が採用される同一種別の記録媒体としての第１のバージョンと第２のバージョンが存在する記録媒体種別における、上記第２のバージョンとしての記録媒体であり、アドレス情報が、上記第１のバージョンに対する場合と共通のエラー訂正符号化処理でアドレス情報がエラー訂正符号化され、さらにエラー訂正符号化データが、上記第２のバージョンの記録媒体に非対応の再生装置ではアドレス復号が不能となるように変形処理されて記録されている上記第２のバージョンの記録媒体に対応する再生装置であって、
上記第２のバージョンとしての記録媒体から情報の読み出しを行う読出部と、
上記記録媒体から読み出されるアドレス情報のエラー訂正符号化データについて、上記変形処理に対応する復元処理を行い、上記変形処理前のエラー訂正符号化データを得るエラー訂正符号化データ復元部と、
上記エラー訂正符号化データ復元部で復元処理されたエラー訂正符号化データについて、エラー訂正処理を行ってアドレス情報を復号するエラー訂正処理部と、
を備えた再生装置。
【請求項９】
上記エラー訂正符号化データ復元部は、上記復元処理として、記録時の上記変形処理においてビット反転されたエラー訂正符号化データの一部をビット反転する請求項８に記載の再生装置。
【請求項１０】
共にアドレス情報をエラー訂正符号化するデータフォーマットであり、再生時に共通のエラー訂正処理が採用される同一種別の記録媒体としての第１のバージョンと第２のバージョンが存在する記録媒体種別における、上記第２のバージョンとしての記録媒体であり、アドレス情報が、上記第１のバージョンに対する場合と共通のエラー訂正符号化処理でアドレス情報がエラー訂正符号化され、さらにエラー訂正符号化データが、上記第２のバージョンの記録媒体に非対応の再生装置ではアドレス復号が不能となるように変形処理されて記録されている上記第２のバージョンの記録媒体に対する再生方法であって、
上記第２のバージョンとしての記録媒体から情報の読み出しを行う読出ステップと、
上記記録媒体から読み出されるアドレス情報のエラー訂正符号化データについて、上記変形処理に対応する復元処理を行い、上記変形処理前のエラー訂正符号化データを得るエラー訂正符号化データ復元ステップと、
上記エラー訂正符号化データ復元ステップで復元処理されたエラー訂正符号化データについて、エラー訂正処理を行ってアドレス情報を復号するエラー訂正処理ステップと、
を行う再生方法。
【請求項１１】
共にアドレス情報をエラー訂正符号化するデータフォーマットであり、再生時に共通のエラー訂正処理が採用される同一種別の記録媒体としての第１のバージョンと第２のバージョンが存在する記録媒体種別における、上記第２のバージョンとしての記録媒体であり、アドレス情報が、上記第１のバージョンに対する場合と共通のエラー訂正符号化処理でアドレス情報がエラー訂正符号化され、さらにエラー訂正符号化データが、上記第２のバージョンの記録媒体に非対応の再生装置ではアドレス復号が不能となるように変形処理されて記録されている記録媒体。
【発明の詳細な説明】
【技術分野】
【０００１】
本発明は、光ディスク等の記録媒体、およびその記録媒体に対応する記録装置、記録方法、再生装置、再生方法に関する。
【先行技術文献】
【特許文献】
【０００２】
【特許文献１】特開２００３−１２３３３３号公報
【背景技術】
【０００３】
デジタルデータを記録・再生する記録媒体として、例えばＣＤ（Compact Disk），ＭＤ（Mini-Disk），ＤＶＤ（Digital Versatile Disk）、ブルーレイディスク（Blu-ray Disc（登録商標））などの光ディスク（光磁気ディスクを含む）が知られている。
光ディスクとは、金属薄板をプラスチックで保護した円盤に、レーザ光を照射し、その反射光の変化で信号を読み取る記録メディアの総称である。
【発明の概要】
【発明が解決しようとする課題】
【０００４】
近年、ブルーレイディスクに見られるような高密度記録により著しい大容量化が実現されている。
現行のブルーレイディスクとしては、記録層が１層又は２層のものが知られており、約２５ＧＢ（Giga Byte）又は約５０ＧＢの記録容量が実現され、ビデオコンテンツやアプリケーションプログラムの記録に利用されている。
ここでブルーレイディスクフォーマットにおいて高密度記録や多層構造等により、更なる大容量化が検討されている。
【０００５】
ところが、現行バージョンのブルーレイディスク（以下「Ｖｅｒ１．０ディスク」ともいう）に対応して各種スペックが決められ、既に市販されているディスクドライブ装置（以下「Ｖｅｒ１．０ドライブ」ともいう）との間で問題が生ずるおそれがある。
例えば３層以上の多層構造などとされる新たなバージョンのブルーレイディスク（以下「Ｖｅｒ２．０ディスク」ともいう）が、将来的に市販されるようになると、ユーザサイドではＶｅｒ２．０ディスクをＶｅｒ１．０ドライブに装填することも起こりえる。
基本的には同一のブルーレイディスクフォーマットであるため、Ｖｅｒ２．０ディスクをＶｅｒ１．０ドライブで記録又は再生が絶対に不可能というわけではない。しかし、Ｖｅｒ２．０ディスクを、高密度化や多層化により実現すると、Ｖｅｒ１．０ドライブが備えた各種スペックでは不十分となることが想定される。
すると、Ｖｅｒ２．０ディスクをＶｅｒ１．０ドライブで記録再生する場合において、記録エラーや再生エラーの発生頻度が高くなる恐れがある。
【０００６】
本発明はこのような事情に鑑み、Ｖｅｒ２．０ディスクをＶｅｒ１．０ドライブに装填しても、記録再生ができないようにするものである。つまり、中途半端に記録再生ができるよりは、Ｖｅｒ１．０ドライブに対するＶｅｒ２．０ディスクの互換性が無いようにする。これによってユーザサイドでのブルーレイディスクシステムの使用性を逆に高める。
【課題を解決するための手段】
【０００７】
本発明の記録装置は、共にアドレス情報をエラー訂正符号化するデータフォーマットであり、再生時に共通のエラー訂正処理が採用される同一種別の記録媒体としての第１のバージョンと第２のバージョンが存在する記録媒体種別における、上記第２のバージョンとしての記録媒体に対応する記録装置である。そして、上記第１のバージョンに対する場合と共通のエラー訂正符号化処理で、アドレス情報をエラー訂正符号化するエラー訂正符号化部と、上記エラー訂正符号化部で得られるエラー訂正符号化データを、上記第２のバージョンの記録媒体に非対応の再生装置ではアドレス復号が不能となるように変形するエラー訂正符号化データ変形部と、上記エラー訂正符号化データ変形部から得られるアドレス情報を記録媒体に記録する記録部とを備える。
また上記エラー訂正符号化データ変形部は、上記エラー訂正符号化データの一部をビット反転する。
また上記エラー訂正符号化データ変形部は、上記エラー訂正符号化データの一部として、上記第２のバージョンの記録媒体に非対応の再生装置での再生時においてシンボルエラー訂正能力を超えるシンボル数の各シンボルについて、ビット反転する。
また上記エラー訂正符号化データ変形部において上記エラー訂正符号化データをビット反転する位置は、上記第２のバージョンの記録媒体に非対応の再生装置での再生時においてビットエラーが発生しても、アドレス復号が不能となる位置であるとする。
また上記記録部は、アドレス情報を含む変調信号に応じて蛇行させたウォブリンググルーブとしてアドレス情報を記録媒体に記録する。
また上記記録部は、アドレス情報をメインデータ内アドレスとして記録媒体に記録する。
本発明の記録方法は、上記エラー訂正符号化部の処理に相当するエラー訂正符号化ステップと、上記エラー訂正符号化データ変形部の処理に相当するエラー訂正符号化データ変形ステップと、上記記録部の処理に相当する記録ステップを行う。
【０００８】
本発明の再生装置は、共にアドレス情報をエラー訂正符号化するデータフォーマットであり、再生時に共通のエラー訂正処理が採用される同一種別の記録媒体としての第１のバージョンと第２のバージョンが存在する記録媒体種別における、上記第２のバージョンとしての記録媒体であり、アドレス情報が、上記第１のバージョンに対する場合と共通のエラー訂正符号化処理でアドレス情報がエラー訂正符号化され、さらにエラー訂正符号化データが、上記第２のバージョンの記録媒体に非対応の再生装置ではアドレス復号が不能となるように変形処理されて記録されている上記第２のバージョンの記録媒体に対応する再生装置である。
そして、上記第２のバージョンとしての記録媒体から情報の読み出しを行う読出部と、上記記録媒体から読み出されるアドレス情報のエラー訂正符号化データについて、上記変形処理に対応する復元処理を行い、上記変形処理前のエラー訂正符号化データを得るエラー訂正符号化データ復元部と、上記エラー訂正符号化データ復元部で復元処理されたエラー訂正符号化データについて、エラー訂正処理を行ってアドレス情報を復号するエラー訂正処理部とを備える。
また上記エラー訂正符号化データ復元部は、上記復元処理として、記録時の上記変形処理においてビット反転されたエラー訂正符号化データの一部をビット反転する。
本発明の再生方法は、上記読出部の処理に相当する読出ステップと、上記エラー訂正符号化データ復元部の処理に相当するエラー訂正符号化データ復元ステップと、上記エラー訂正処理部の処理に相当するエラー訂正処理ステップとを行う。
【０００９】
本発明の記録媒体は、共にアドレス情報をエラー訂正符号化するデータフォーマットであり、再生時に共通のエラー訂正処理が採用される同一種別の記録媒体としての第１のバージョンと第２のバージョンが存在する記録媒体種別における、上記第２のバージョンとしての記録媒体であり、アドレス情報が、上記第１のバージョンに対する場合と共通のエラー訂正符号化処理でアドレス情報がエラー訂正符号化され、さらにエラー訂正符号化データが、上記第２のバージョンの記録媒体に非対応の再生装置ではアドレス復号が不能となるように変形処理されて記録されている記録媒体である。
【００１０】
このような本発明では、第２のバージョンの記録媒体には、エラー訂正符号化されたアドレス情報が、第２のバージョンの記録媒体に非対応の再生装置ではアドレス復号が不能となるように変形処理されて記録されている。従って第２のバージョンの記録媒体は、非対応の再生装置（例えば第１のバージョンの記録媒体のみに対応して製造された再生装置）では、アドレスデコードができない。
つまり第１，第２のバージョンではエラー訂正符号化処理が共通であるが、エラー訂正符号化データが特定のビット反転等の変形処理によって、第２のバージョンの記録媒体に非対応の再生装置ではアドレスエラー訂正不能の状態に導かれ、アドレス復号不能となる。アドレス復号不能となることで、その非対応再生装置では、第２のバージョンの記録媒体が装填されてもアクセス不能（記録再生が不能）の状態とすることができる。
【発明の効果】
【００１１】
本発明によれば、本発明の記録媒体（第２のバージョンの記録媒体）は、共通のデータフォーマット、エラー訂正処理が採用される第１のバージョンの記録媒体のみに対応する従前の再生装置や記録装置では、アドレス復号不能の状態とし、記録再生不能とできる。これによって、同一種別の記録媒体でありながら、本発明の第２のバージョンの記録媒体のみについて従前の再生装置、記録装置であえて使用できないようにすることができ、不安定な動作状態が生ずることを回避できる。そのため、システム全体としての使用性が向上する。
【図面の簡単な説明】
【００１２】
【図１】本発明の実施の形態のディスクのグルーブの説明図である。
【図２】実施の形態のディスクのエリア構造の説明図である。
【図３】実施の形態のメインデータのＥＣＣ構造の説明図である。
【図４】実施の形態のプリレコーデッド情報のＥＣＣ構造の説明図である。
【図５】実施の形態のフレーム構造の説明図である。
【図６】実施の形態のデータ内アドレスの説明図である。
【図７】実施の形態のデータ内アドレスのＥＣＣ構造の説明図である。
【図８】実施の形態のＢＩＳ構造の説明図である。
【図９】実施の形態のデータ内アドレス記録再生の説明図である。
【図１０】実施の形態のウォブルアドレスの説明図である。
【図１１】実施の形態のＲＵＢに対するアドレスブロックの説明図である。
【図１２】実施の形態のＡＤＩＰ情報のＥＣＣ構造の説明図である。
【図１３】実施の形態のウォブルアドレス記録再生の説明図である。
【図１４】実施の形態の反転シンボル位置の設定の説明図である。
【図１５】実施の形態のディスクドライブ装置のブロック図である。
【図１６】実施の形態のディスクを製造するマスタリング装置のブロック図である。
【発明を実施するための形態】
【００１３】
以下、本発明の実施の形態を次の順序で説明する。
［１．ディスク］
［２．データ内アドレスの記録再生］
［３．ウォブルアドレスの記録再生］
［４．ディスクドライブ装置］
［５．マスタリング装置］
【００１４】
［１．ディスク］
まず実施の形態となるディスクにおける物理的な特性及びウォブリングトラックについて説明する。
本例の光ディスクは、ブルーレイディスクの範疇に属するものとする。実施の形態のブルーレイディスクは、現行のブルーレイディスクと同じく、アドレス情報をエラー訂正符号化するデータフォーマットを採用し、再生時に現行のブルーレイディスクに対するものと共通のエラー訂正処理が採用される。
なお以下では、先に述べたように現行のブルーレイディスクを「Ｖｅｒ１．０ディスク」、実施の形態のディスクに相当するブルーレイディスクを「Ｖｅｒ２．０ディスク」と呼ぶこととする。
また、従前のブルーレイディスクの記録装置、再生装置を「Ｖｅｒ１．０ドライブ」と呼ぶ。これに対応して、本実施の形態の記録装置／再生装置、即ちＶｅｒ２．０ディスクに対応するディスクドライブ装置については「Ｖｅｒ２．０ドライブ」と呼ぶ場合もある。
【００１５】
まず、ブルーレイディスクの基本的な物理構造やデータ構造について述べる。
ブルーレイディスクとしては、ＢＤ−ＲＯＭとして知られている再生専用タイプのものと、ユーザーデータが記録可能なタイプがある。
再生専用タイプのものは、いわゆるエンボスピット列により情報記録が行われる。
記録可能タイプのものは、色素膜変化記録方式、相変化記録方式が利用されることで、データが記録可能とされる。
色素膜変化記録方式はライトワンス記録方式とも呼ばれ、一度だけデータ記録が可能で書換不能であるためデータ保存用途などに好適とされる。一方、相変化記録方式は、データの書換が可能であり音楽、映像、ゲーム、アプリケーションプログラム等の各種コンテンツデータの記録を始めとして各種用途に利用される。
【００１６】
ブルーレイディスクのディスクサイズは、直径が１２０ｍｍとされる。また、ディスク厚は１．２ｍｍとなる。即ちこれらの点では外形的に見ればＣＤ（Compact Disc）方式のディスクや、ＤＶＤ（Digital Versatile Disc）方式のディスクと同様となる。
記録／再生のためのレーザ波長は４０５ｎｍとされ、いわゆる青色レーザが用いられるものとなる。光学系のＮＡは０．８５とされる。
エンボスピット列によって形成されるトラックや、色素変化マーク、相変化マーク（フェイズチェンジマーク）が記録されるグルーブトラックのトラックピッチは０．３２μｍ、線密度０．１２μｍとされる。そしてユーザーデータ容量としては１層あたりで約２３〜２５ＧＢを実現している。
【００１７】
色素膜変化記録方式、相変化記録方式などの記録可能なディスクに対してデータを記録するには、データトラックに対するトラッキングを行うための案内手段が必要になる。このために、プリグルーブとして予め溝（グルーブ）を形成し、そのグルーブもしくはランド（グルーブとグルーブに挟まれる断面台地状の部位）をデータトラックとすることが行われている。
またデータトラック上の所定の位置にデータを記録することができるようにアドレス情報を記録する必要もあるが、このアドレス情報は、グルーブをウォブリング（蛇行）させることで記録される。
【００１８】
図１（ａ）に模式的に示すように、ディスク１００上は、最内周側から最外周側までグルーブＧＶがスパイラル状に形成される。なお再生専用タイプの場合は、グルーブは形成されないが、このようにスパイラル状にエンボスピット列によるトラックが形成されることになる。
また、ディスクはＣＬＶ（線速度一定）方式で回転駆動されてデータの記録再生が行われるものとしているが、グルーブＧＶについてもＣＬＶとされる。従って、トラック１周回のグルーブのウォブリング波数はディスク外周側に行くほど多くなる。
【００１９】
このようなグルーブＧＶは、図１（ｂ）に示すようにウォブリング（蛇行）されて形成されることにより物理アドレスが表現される。つまりグルーブＧＶの左右の側壁は、アドレス等に基づいて生成された信号に対応して蛇行している。
グルーブＧＶとその隣のグルーブＧＶの間はランドＬとされ、上述のようにデータの記録はグルーブＧＶに行われる。つまりグルーブＧＶがデータトラックとなる。なお、ランドＬをデータトラックとしてデータの記録をランドＬに行うようにすることや、グルーブＧＶとランドＬの両方をデータトラックとして用いることも考えられる。
【００２０】
このようにデータを記録するトラックがプリグループとして予め形成され、かつプリグループの側壁がアドレス情報に対応してウォブリングされていることで、記録時や再生時に、反射光情報として得られるウォブリング情報からアドレスを読み取ることができる。例えばアドレスを示すピットデータ等を予めトラック上に形成しておかなくても、所望の位置にアクセスしてデータを記録再生することができる。
なお、このようなウォブリングされたグルーブにより表現されるアドレス情報は、ＡＴＩＰ（Absolute Time In Pregroove）又はＡＤＩＰ（Adress In Pregroove）と呼ばれる。
【００２１】
図２は、ディスク全体のレイアウト（領域構成）を示す。なお、図２は記録可能型のディスクの場合の例である。
ディスク上の領域としては、内周側からリードインゾーン、データゾーン、リードアウトゾーンが配される。
また、記録・再生に関する領域構成としてみれば。リードインゾーンの内周側がＰＢゾーン（再生専用領域）、リードインゾーンの外周側からリードアウトゾーンまでがＲＷゾーン（記録再生領域）とされる。
【００２２】
リードインゾーンは、半径２４ｍｍより内側に位置する。そして半径２２．３〜２３．１ｍｍがプリレコーデッドデータゾーンとされる。
プリレコーデッドデータゾーンは、あらかじめコピープロテクションにつかう情報等（プリレコーデッド情報）を、ディスク上にスパイラル状に形成されたグルーブをウォブリングすることによって記録してある。これは書換不能な再生専用の情報であり、つまりプリレコーデッドデータゾーンが上記ＰＢゾーン（再生専用領域）となる。
【００２３】
プリレコーデッドデータゾーンにおいてプリレコーデッド情報として例えばコピープロテクション情報が記録されるが、このコピープロテクション情報を用いて、例えば次のようなことが行われる。
本例にかかる光ディスクシステムでは、登録されたドライブ装置メーカー、ディスクメーカーがビジネスを行うことができ、その登録されたことを示す、メディアキー、あるいは、ドライブキーを有している。
ハックされた場合、そのドライブキー或いはメディアキーがコピープロテクション情報として記録される。このメディアキー、ドライブキーを有した、メディア或いはドライブは、この情報により、記録再生をすることをできなくすることができる。
【００２４】
リードインゾーンにおいて半径２３．１〜２４ｍｍにはテストライトエリア及びディフェクトマネジメントエリアが設けられる。
テストライトエリアは記録／再生時のレーザパワー等、フェーズチェンジマークの記録再生条件を設定する際の試し書きなどにつかわれる。
ディフェクトマネジメントエリアはディスク上のディフェクト情報を管理する情報を記録再生する。
【００２５】
半径２４．０〜５８．０ｍｍがデータゾーンとされる。データゾーンは、実際にユーザーデータがフェイズチェンジマークにより記録再生される領域である。
半径５８．０〜５８．５ｍｍはリードアウトゾーンとされる。リードアウトゾーンは、リードインゾーンと同様のディフェクトマネジメントエリアが設けられたり、また、シークの際、オーバーランしてもよいようにバッファエリアとしてつかわれる。
半径２３．１ｍｍ、つまりテストライトエリアから、リードアウトゾーンまでが、フェイズチェンジマークが記録再生されるＲＷゾーン（記録再生領域）とされる。
【００２６】
以上は記録可能タイプのディスクの例であるが、再生専用タイプの場合も、リードインゾーン、データゾーン、リードアウトゾーンが配されることは同様である。但しテストライトエリア、ディフェクトマネジメントエリアは設けられず、またディスクの全範囲がエンボスピットによる再生専用領域となる。
【００２７】
続いて、主たるデータとして相変化マークやエンボスピット列等で記録されるデータ及びＡＤＩＰ情報としてトラックウォブリングにより記録されるデータのＥＣＣ構造について図３，図４，図５により説明する。
なお、トラック上に相変化マーク、色素変化マーク、或いはエンボスピット列により記録される情報を「メインデータ」と呼び、またトラックウォブリングにより記録されるデータを「ウォブルデータ」と呼んで区別する。
【００２８】
まず図３には、メインデータ（ユーザーデータ）についてのＥＣＣフォーマットを示している。
ＥＣＣ（エラー訂正コード）としては、メインデータ６４ＫＢ（＝１セクターの２０４８バイト×３２セクター）に対するＬＤＣ（long distance code）と、ＢＩＳ(Burst indicator subcode)の２つがある。
【００２９】
図３（ａ）に示すメインデータ６４ＫＢについては、図３（ｂ）のようにＥＣＣエンコードされる。即ちメインデータは１セクタ２０４８Ｂについて４ＢのＥＤＣ(error detection code)を付加し、３２セクタに対し、ＬＤＣを符号化する。ＬＤＣはＲＳ(248,216,33)、符号長２４８、データ２１６、ディスタンス３３のＲＳ(reed solomon)コードである。３０４の符号語がある。
【００３０】
一方、ＢＩＳは、図３（ｃ）に示す７２０Ｂ（Byte）のデータに対して、図３（ｄ）のようにＥＣＣエンコードされる。即ちＲＳ(62,30,33)、符号長６２、データ３０、ディスタンス３３のＲＳ(reed solomon)コードである。２４の符号語がある。
【００３１】
図５（ａ）にメインデータについてのフレーム構造を示している。
上記ＬＤＣのデータと、ＢＩＳは図示するフレーム構造を構成する。即ち１フレームにつき、データ（３８Ｂ）、ＢＩＳ（１Ｂ）、データ（３８Ｂ）、ＢＩＳ（１Ｂ）、データ（３８Ｂ）が配されて１５５Ｂの構造となる。つまり１フレームは３８Ｂ×４の１５２Ｂのデータと、３８ＢごとにＢＩＳが１Ｂ挿入されて構成される。
フレームシンクＦＳ（フレーム同期信号）は、１フレーム１５５Ｂの先頭に配される。１つのブロックには４９６のフレームがある。
ＬＤＣデータは、０，２，・・・の偶数番目の符号語が、０，２，・・・の偶数番目のフレームに位置し、１，３，・・・の奇数番目の符号語が、１，３，・・・の奇数番目のフレームに位置する。
【００３２】
ＢＩＳはＬＤＣの符号より訂正能力が非常に優れた符号をもちいており、ほぼ、すべて訂正される。つまり符号長６２に対してディスタンスが３３という符号を用いている。
このため、エラーが検出されたＢＩＳのシンボルは次のように使うことができる。
ＥＣＣのデコードの際、ＢＩＳを先にデコードする。図５（ａ）のフレーム構造において隣接したＢＩＳあるいはフレームシンクＦＳの２つがエラーの場合、両者のあいだにはさまれたデータ３８Ｂはバーストエラーとみなされる。このデータ３８Ｂにはそれぞれエラーポインタが付加される。ＬＤＣではこのエラーポインタをつかって、ポインターイレージャ訂正をおこなう。
これによりＬＤＣだけの訂正より、訂正能力を上げることができる。
ＢＩＳにはアドレス情報等が含まれている。このアドレス情報は、ＲＯＭタイプディスク等で、ウォブリンググルーブによるアドレス情報がない場合等につかわれる。もちろん記録可能ディスクにおける再生時のアドレス取得にも使用できる。
【００３３】
なお、最小記録単位となるＲＵＢ（recording unit block：記録再生クラスタ）は、図５（ａ）に示したメインデータのＥＣＣブロックの４９６フレームに、その前後に２フレームのＰＬＬ等のためのリンクエリアを付加した４９８フレームで構成される。
【００３４】
次に図４にウォブルデータについてのＥＣＣフォーマットを示す。
この場合ＥＣＣには、データ４ＫＢ（１セクタ２０４８Ｂ×２セクタ）に対するＬＤＣ（long distance code）とＢＩＳ(Burst indicator subcode)の２つがある。
【００３５】
図４（ａ）に示すウォブルデータとしてのデータ４ＫＢについては、図４（ｂ）のようにＥＣＣエンコードされる。即ちデータは１セクタ２０４８Ｂについて４ＢのＥＤＣ(error detection code)を付加し、２セクタに対し、ＬＤＣを符号化する。ＬＤＣはＲＳ(248,216,33)、符号長２４８、データ２１６、ディスタンス３３のＲＳ(reed solomon)コードである。１９の符号語がある。
【００３６】
一方、ＢＩＳは、図４（ｃ）に示す１２０Ｂのデータに対して、図４（ｄ）のようにＥＣＣエンコードされる。即ちＲＳ(62,30,33)、符号長６２、データ３０、ディスタンス３３のＲＳ(reed solomon)コードである。４つの符号語がある。
【００３７】
図５（ｂ）にウォブルデータについてのフレーム構造を示している。
上記ＬＤＣのデータと、ＢＩＳは図示するフレーム構造を構成する。即ち１フレームにつき、フレームシンクＦＳ（１Ｂ）、データ（１０Ｂ）、ＢＩＳ（１Ｂ）、データ（９Ｂ）が配されて２１Ｂの構造となる。つまり１フレームは１９Ｂのデータと、ＢＩＳが１Ｂ挿入されて構成される。
フレームシンクＦＳ（フレーム同期信号）は、１フレームの先頭に配される。１つのブロックには２４８のフレームがある。
【００３８】
この場合もＢＩＳはＬＤＣの符号より訂正能力が非常に優れた符号をもちいており、ほぼ、すべて訂正される。このため、エラーが検出されたＢＩＳのシンボルは次のように使うことができる。
ＥＣＣのデコードの際、ＢＩＳを先にデコードする。隣接したＢＩＳ或いはフレームシンクＦＳの２つがエラーの場合、両者のあいだにはさまれたデータ１０Ｂ、あるいは９Ｂはバーストエラーとみなされる。このデータ１０Ｂ、あるいは９Ｂにはそれぞれエラーポインタが付加される。ＬＤＣではこのエラーポインタをつかって、ポインターイレージャ訂正をおこなう。
これによりＬＤＣだけの訂正より、訂正能力をあげることができる。
【００３９】
図５，図６からわかるように、フェイズチェンジマークによるデータとプリレコーデッド情報は、ＥＣＣフォーマットとしては、同一の符号及び構造が採用される。
これは、プリレコーデッド情報のＥＣＣデコード処理は、フェイズチェンジマークによるデータ再生時のＥＣＣデコード処理を行う回路系で実行でき、ディスクドライブ装置としてはハードウエア構成の効率化を図ることができることを意味する。
【００４０】
［２．データ内アドレスの記録再生］
本例のディスク（Ｖｅｒ２．０ディスク）におけるデータ内アドレスの記録再生について説明する。データ内アドレスとは、図３，図５（ａ）で述べたメインデータのＥＣＣブロック構造においてＢＩＳに含まれるアドレス情報のことである。
【００４１】
図６（ａ）（ｂ）は、Ｖｅｒ１．０ディスクと、Ｖｅｒ２．０ディスク（本実施の形態のディスク）におけるアドレスユニットナンバ（ＡＵＮ）構造を示している。
まず図６（ａ）のように、Ｖｅｒ１．０ディスクは、４シンボル（１シンボル＝８ビット）のＡＵＮとしてＡＵＮ０〜ＡＵＮ３で形成される。この４シンボルを、ビットＡ０〜Ａ３１で示している。
Ａ０〜Ａ４の５ビットは、クラスタ内ナンバである。クラスタは、データの記録単位である１つのＲＵＢ（recording unit block：記録再生クラスタ）を構成する単位である。
Ａ５〜Ａ２３の１９ビットは、クラスタアドレスとなる。
Ａ２４〜Ａ２６の３ビットはレイヤーナンバ（記録層のナンバ）となる。
Ａ２７〜Ａ３１はリザーブとされている。
【００４２】
これに対しＶｅｒ２．０ディスクの場合は、ＡＵＮ構造は図６（ｂ）のようになる。
４シンボルのＡＵＮ０〜ＡＵＮ３としてのビットＡ０〜Ａ３１において、Ａ０〜Ａ４の５ビットは、クラスタ内ナンバである。
Ａ５〜Ａ２４の２０ビットは、クラスタアドレスとなる。
Ａ２５〜Ａ２７の３ビットはレイヤーナンバとなる。
Ａ２８〜Ａ３１はリザーブとされている。
つまり、大容量化によって総クラスタ数が増えることに対応し、クラスタアドレスのビット数を２０ビットにしている。
【００４３】
このようなアドレス情報のエラー訂正符号化（ＥＣＣエンコード）は、図７のアドレスユニット単位で行われる。
図７（ａ）では、それぞれ９バイトのアドレスユニットＡＵ０〜ＡＵ１５を示している。
アドレスユニットＡＵ０は、アドレスフィールドＡＦ０，０〜ＡＦ８，０で構成される。
アドレスユニットＡＵ１は、アドレスフィールドＡＦ０，１〜ＡＦ８，１で構成される。
同様にしてアドレスユニットＡＵ１５までがそれぞれ９バイトで構成される。
１つのアドレスフィールドＡＦは１バイト（１シンボル）である。
【００４４】
この９バイトのアドレスユニット単位でＥＣＣエンコードが行われる。アドレスユニットＡＵは、図６に示したＡＵＮとパリティを含む。
例えばアドレスユニットＡＵ０を例に採ると、図７（ｂ）のようになる。
アドレスユニットＡＵ０のアドレスフィールドＡＦ０，０、ＡＦ１，０、ＡＦ２，０、ＡＦ３，０については、アドレスユニットナンバＡＵＮ３，ＡＵＮ２，ＡＵＮ１，ＡＵＮ０が、それぞれ割り当てられる。
アドレスフィールドＡＦ４，０はフラグビットとされる。
アドレスフィールドＡＦ５，０〜ＡＦ８，０には、パリティ（Parity３〜Parity０）が割り当てられる。
このアドレスユニット単位のＥＣＣエンコードによるエラー訂正は、９シンボル内に４シンボルのパリティを持つことで、２シンボル以内の誤りを訂正できる能力を持つことになる。
即ちアドレスユニットとして形成されるエラー訂正符号化データは、ＲＳ(9,5,5)、符号長９、データ５、ディスタンス５のＲＳコードである。
【００４５】
図８に、メインデータブロック内のアドレスユニットの配置を示す。このメインデータブロックは図５（ａ）に示したものである。
４９６フレームのメインデータブロックにおいて、３１フレーム単位でアドレスユニットがＢＩＳを用いて配置される。
１フレームにつきＢＩＳは３バイトあり、３１フレームでは、ＢＩＳは９３バイトとなるが、そのうちの先頭の９バイトでアドレスユニットが配置される。残りのＢＩＳバイトにはコントロールデータ等が配置される。
図示のように、アドレスユニットＡＵ０を構成するアドレスフィールドＡＦ０，０〜ＡＦ８，０は、最初の３１フレームにおいてＢＩＳの９バイトに配置される。
またアドレスユニットＡＵ１を構成するアドレスフィールドＡＦ０，１〜ＡＦ８，１は、２番目の３１フレームにおけるＢＩＳの９バイトに配置される。
以降、同様にアドレスユニットＡＵ２〜ＡＵ１５が、同様に各３１フレーム内のＢＩＳに配置される。
【００４６】
上述したようにＢＩＳはエラー訂正能力は高いものであるが、アドレスユニットのエラー訂正については、アドレスユニット単位で行われる。これは迅速性が要求されるアドレスデコードに関しては、図３（ｄ）のＢＩＳブロックを用いた訂正では間に合わないためである。
そのためアドレス情報の訂正能力はアドレスユニットＡＵの訂正能力に依存するものとなり、上述のように２シンボル以内の訂正が可能とされる。
換言すれば、３シンボル以上のエラーは訂正できないものとなる。さらに言えば、３シンボル以上のエラーを敢えて生じさせると、アドレスが復号できないことになる。
【００４７】
本実施の形態では、Ｖｅｒ２．０ディスクは、Ｖｅｒ１．０ドライブにおいて記録再生ができないようにする。記録再生ができないようにするには、Ｖｅｒ１．０ドライブにおいてアドレスデコードができないようにすればよい。アドレス情報が復号できなければ、記録再生のためのアクセスができないためである。
そこで上記のようなアドレスユニットＡＵとしてＥＣＣエンコードされるアドレス情報の記録再生に関して次のような処理を行う。
【００４８】
本例のＶｅｒ２．０ディスクに対して情報を記録する際、まずアドレス情報のエラー訂正符号化については、Ｖｅｒ１．０ディスクと共通のエラー訂正符号化を行う。つまり図７に示したアドレスユニットＡＵ単位のエラー訂正符号化である。
但し、そのままアドレス情報を図８のメインデータブロックのＢＩＳに割り当てていくのではなく、９シンボル（９個のアドレスフィールド）のアドレスユニットＡＵの一部を変形する。具体的には所定のシンボルにおいて全部又は一部のビットを反転させる。その上で、一部ビット反転されたエラー訂正符号化データ（アドレスユニット）を、図８のようにＢＩＳに割り当て、メインデータブロックを形成して記録する。
【００４９】
一方、Ｖｅｒ２．０ディスクに対応するＶｅｒ２．０ドライブ（本実施の形態の再生装置）では、上記の変形処理に対応するため、ビット反転による変形処理に対する復元処理を行う。例えば反転されたビット位置に対してさらにビット反転を行うことで、元のアドレスフィールドを復元する。そしてその復元されたアドレスフィールドによって構成されるアドレスユニットＡＵ単位でのエラー訂正デコードを行うものである。
【００５０】
図９に、本例のＶｅｒ２．０ディスクに対する記録と、そのＶｅｒ２．０ディスクに対して再生を行う場合のアドレス処理の流れを示す。
処理Ｓ１〜Ｓ６は、Ｖｅｒ２．０ディスクへのデータ記録までの流れを示している。
【００５１】
処理Ｓ１として、記録すべきアドレスユニットナンバ（ＡＵＮ０〜ＡＵＮ３）及びフラグデータを発生させる。
処理Ｓ２として、ＥＣＣエンコードを行う。即ち処理Ｓ１で発生させたＡＵＮ０〜ＡＵＮ３及びフラグデータの５シンボルに対して、４シンボルのパリティ（Parity０〜Ｐarity３）を生成する。即ちアドレスユニットＡＵを形成するための９シンボルを得る。
処理Ｓ３として、シンボルの変形処理を行う。
ここでは、９シンボルのうちＡＵＮ０，ＡＵＮ１，Parity３，Parity２の４シンボルについてビット反転処理を行うものとする。なおシンボルのビット反転とは、シンボルを形成する８ビット全てを反転させてもよいし、所定の一部ビットのみを反転させるものでもよい。
一方、ＡＵＮ２，ＡＵＮ３，フラグビット，Parity１，Parity０の５シンボルについては反転処理は行わない。
【００５２】
処理Ｓ３としてアドレスフィールド形成を行う。
即ち反転処理されたＡＵＮ０，ＡＵＮ１，Parity３，Parity２と、反転処理されていないＡＵＮ２，ＡＵＮ３，フラグビット，Parity１，Parity０を、図７（ｂ）のようにアドレスフィールドＡＦ０〜ＡＦ８に割り当て、図７（ａ）のようにアドレスユニットＡＵを形成していく。
【００５３】
処理Ｓ４として記録データ（変調データ）を形成するエンコードが行われる。ブルーレイディスクの場合、変調方式としてＲＬＬ（１，７）ＰＰ変調方式（ＲＬＬ；Run Length Limited、ＰＰ：Parity preserve/Prohibit rmtr(repeated minimum transition runlength)）が用いられる。
図７のアドレスユニットＡＵ０〜ＡＵ１５とされたアドレス情報は、図８のようなメインデータブロック内に配置される。そして該メインデータブロックを構成するデータストリームがＲＬＬ（１，７）ＰＰ変調される。
そして処理Ｓ６として、変調データに応じたレーザ発光が行われ，ディスク（Ｖｅｒ２．０ディスク）に対してデータ記録が行われる。
【００５４】
以上の処理Ｓ１〜Ｓ６が、本実施の形態のＶｅｒ２．０ドライブ（記録装置）で行われる。
例えばディスクが記録可能タイプであれば、Ｖｅｒ２．０ドライブとしての記録装置における記録時に、以上のアドレスに関する処理が行われる。
また再生専用タイプのディスクを想定する場合は、以上のアドレスに関する処理が、ディスク原盤のマスタリング工程（後述）において行われることになる。その場合、後述するマスタリング装置が、本実施の形態のＶｅｒ２．０ドライブとしての記録装置となる。
【００５５】
処理Ｓ７〜Ｓ１１は、以上の記録が行われたＶｅｒ２．０ディスクを、Ｖｅｒ２．０ドライブ（本実施の形態の記録再生装置）で再生する場合のアドレス処理を示している。
Ｖｅｒ２．０ディスクから読み出された情報については、処理Ｓ７として復調が行われる。即ちＲＬＬ（１，７）ＰＰ変調データの復調である。
これによりアドレス情報に関しては、図７（ａ）のアドレスユニットＡＵ０〜ＡＵ１５を構成する各アドレスフィールドのデータが得られる。
【００５６】
但し、記録時の処理Ｓ３の変形処理により、所定のアドレスフィールドのデータはビット反転処理が施されている。
そこで処理Ｓ８として復元処理を行う。
ここでは、アドレスユニットＡＵを構成する９シンボルのうちＡＵＮ０，ＡＵＮ１，Parity３，Parity２の４シンボルについてビット反転処理を行う。つまり処理Ｓ３で反転されたビットを、再度反転させて元のシンボル値を復元する。
一方、ＡＵＮ２，ＡＵＮ３，フラグビット，Parity１，Parity０の５シンボルについては処理Ｓ３で反転されていないため、ここでもビット反転処理は行わない。
この復元処理により、元のアドレスフィールドのデータが得られる。
【００５７】
処理Ｓ９でこの復元処理されたアドレスフィールドのデータとして、ＡＵＮ０〜ＡＵＮ３、フラグデータ、Parity０〜Ｐarity３を得る。即ちアドレスユニットＡＵとしての９シンボルを得る。
処理Ｓ１０で、アドレスユニットＡＵに対してエラー訂正デコードを行う。この場合、処理Ｓ８の復元によって、処理Ｓ２のＥＣＣエンコード時のアドレスユニットが復元されたものについてエラー訂正デコードが行われることになる。従って正常のエラー訂正デコードが行われ、処理Ｓ１１として、アドレス情報（ＡＵＮ０〜ＡＵＮ３）が正しく復号されることになる。
【００５８】
このようにＶｅｒ２．０ドライブによっては、Ｖｅｒ２．０ディスクの再生時においてデータ内アドレスを適正に読み出すことができる。従って、データ内アドレスを用いて通常に再生アクセスや記録アクセスを行うことができ、適正な再生動作、記録動作が可能となる。
【００５９】
一方、処理Ｓ７→Ｓ１２〜Ｓ１４は、上記のアドレス記録が行われたＶｅｒ２．０ディスクを、Ｖｅｒ１．０ドライブ（従前の再生装置）で再生する場合のアドレス処理を示している。
Ｖｅｒ２．０ディスクから読み出された情報については、処理Ｓ７として復調が行われる。即ちＲＬＬ（１，７）ＰＰ変調データの復調である。
【００６０】
これによりアドレス情報に関しては、処理Ｓ１２として、図７（ａ）のアドレスユニットＡＵ０〜ＡＵ１５を構成する各アドレスフィールドのデータが得られる。
但し、記録時の処理Ｓ３の変形処理により、所定のアドレスフィールドのデータ（ＡＵＮ０，ＡＵＮ１，Parity３，Parity２に相当するアドレスフィールド）はビット反転処理が施されている。
この反転処理された各アドレスフィールドのデータが、そのまま次の処理Ｓ１３のエラー訂正デコードに供される。
各アドレスユニットＡＵに対してエラー訂正デコードを行う際、アドレスユニットＡＵを構成するアドレスフィールドの一部のデータは、ＥＣＣエンコード（処理Ｓ２）時とは異なった値となっている。アドレスユニットＡＵ０で言えば、ＡＵＮ０，ＡＵＮ１，Parity３，Parity２に相当するアドレスフィールドＡＦ２，０、ＡＦ３，０、ＡＦ５，０、ＡＦ６，０はビット反転による変形処理がされたシンボル値となっている。
アドレスユニットＡＵは、上述のとおり２シンボル以下の誤り訂正能力を持つところ、この場合、４シンボルの誤りが発生した状態となっていることになる。
従ってエラー訂正結果は「ＤＦ」（Decord Failure：エラー訂正失敗）となる。
つまり処理Ｓ１４として、アドレス情報（ＡＵＮ０〜ＡＵＮ３）は正しく復号できない。
【００６１】
このようにＶｅｒ１．０ドライブによっては、Ｖｅｒ２．０ディスクの再生時においてデータ内アドレスを適正に読み出すことができない。従って、通常に再生アクセス、記録アクセスを行うことができず、エラー処理として再生動作、記録動作は開始されない。
換言すれば、Ｖｅｒ２．０ディスクを、Ｖｅｒ１．０ドライブで記録再生不能とすることができる。
再生専用タイプのＶｅｒ２．０ディスクの場合は、グルーブが存在しないため、以上のようにデータ内アドレスを読出不能とすることで、Ｖｅｒ１．０ドライブによる再生を不能とできる。
記録可能タイプのＶｅｒ２．０ディスクの場合は、データ内アドレスが読出不能であっても、ウォブルアドレスについて読み出せると記録再生が可能となってしまう。そのため次に述べるように、ウォブルアドレスについてもＶｅｒ１．０ドライブでは読み出せないようにするものである。
【００６２】
なお、以上の図９の例では、処理Ｓ３としての変形処理で、アドレスユニットＡＵを構成する９シンボルの内で４シンボルについてビット反転をおこなった。本例の場合、アドレスユニットＡＵの訂正能力は、３シンボルエラー以上で訂正不能となるため、処理Ｓ３では少なくとも３シンボル以上、ビット反転処理を行えばよい。
また、例えば４シンボルをビット反転する場合において、その処理対象は、ＡＵＮ０，ＡＵＮ１，Parity３，Parity２に限られるものではない。但し、この例のように、アドレス情報で２シンボル、パリティで２シンボルとして偏りを無くしてビット反転させることが好適と考えられる。
もちろん４シンボルを反転処理する場合、アドレスで４シンボルを反転処理させる例や、フラグビットのシンボルを反転処理対象とする例なども考えられる。
【００６３】
またアドレス情報については下位シンボルをビット反転対象としていることも適切と考えられる。これは、アドレスをＥＣＣデコードしないドライブも存在し、そのようなドライブにおいてアドレスがインクリメントしないようになるため、エラーとできるためである。
もちろんアドレス情報の上位シンボルＡＵＮ２，ＡＵＮ３を反転対象に加える例も考えられる。
【００６４】
［３．ウォブルアドレスの記録再生］
次に本例のディスク（Ｖｅｒ２．０ディスク）におけるウォブルアドレスの記録再生について説明する。
【００６５】
図１０（ａ）（ｂ）は、Ｖｅｒ１．０ディスクと、Ｖｅｒ２．０ディスク（本実施の形態のディスク）におけるウォブルアドレス構造を示している。
まず図１０（ａ）のように、Ｖｅｒ１．０ディスクは、ウォブルアドレスはビットＡ０〜Ａ２３で示す２４ビットで構成される。なお、ウォブルアドレスは４ビットを１シンボルとして扱うが、４ビットシンボルを以下、ニブル（Nibble）と呼ぶ。２４ビットのウォブルアドレスは６ニブルとなる。
Ａ０、Ａ１の２ビットは、クラスタ内ナンバである。
Ａ２〜Ａ２０の１９ビットは、クラスタアドレスとなる。
Ａ２１〜Ａ２３の３ビットはレイヤーナンバとなる。
【００６６】
これに対しＶｅｒ２．０ディスクの場合は、ウォブルアドレス構造は図１０（ｂ）のようになる。
６ニブルのビットＡ０〜Ａ２３において、Ａ０，Ａ１の２ビットは、クラスタ内ナンバである。
Ａ２〜Ａ２１の２１ビットは、クラスタアドレスとなる。大容量化によって総クラスタ数が増えることに対応し、クラスタアドレスのビット数を２０ビットにしている。
Ａ２２〜Ａ２３の２ビットはレイヤーナンバとなる。
【００６７】
本例の場合、データの記録単位である１つのＲＵＢ（recording unit block：記録再生クラスタ）に対しては、ＡＤＩＰアドレスとして３つのアドレスが入るものとされる。
図１１にその様子を示す。ＲＵＢ（記録再生クラスタ）は、図５（ａ）に示したデータのＥＣＣブロックの４９６フレームに、その前後に２フレームのＰＬＬ等のためのリンクエリアを付加した４９８フレームとして記録再生の単位である。
そして図１１（ａ）のように１つのＲＵＢに相当する区間において、ＡＤＩＰとしては３つのアドレスブロックが含まれることになる。
１つのアドレスブロックは８３ビットから形成される。
【００６８】
図１１（ｂ）に１つのアドレスブロックの構成を示している。８３ビットのアドレスブロックは、８ビットのシンクパート（同期信号パート）と、７５ビットのデータパートからなる。
シンクパートの８ビットでは、モノトーンビット（１ビット）とシンクビット（１ビット）によるシンクブロックが４単位形成される。
データパートの７５ビットでは、モノトーンビット（１ビット）とＡＤＩＰビット（４ビット）によるＡＤＩＰブロックが１５単位形成される。
モノトーンビット、シンクビット、及びＡＤＩＰビットは、それぞれ５６ウォブル期間のウォブルで形成される。これらのビットの先頭にはビットシンクの為のＭＳＫ（minimam shift keying）マークが配される。
そしてモノトーンビットはＭＳＫマークに続いて、キャリア周波数によるウォブルが連続して形成される。シンクビット及びＡＤＩＰビットは、ＭＳＫマークに続いて、ＭＳＫ変調波形及びＳＴＷ（saw tooth wobble）変調波形によるウォブルを有して形成される。
アドレス情報としては、データパートのＡＤＩＰビット（４ビット）×１５の６０ビットを用いて記録される。
【００６９】
この６０ビットで形成されるアドレスフォーマット（エラー訂正ブロック構造）は図１２のようになる。アドレスデータとしてのＥＣＣ単位は、このように合計６０ビットの単位とされ、図示するようにNibble0〜Nibble14の１５ニブル（１ニブル＝４ビット）で構成される。このエラー訂正ブロック構造はデータが９ニブル（＝３６ビット）あり、これに対してパリティが６ニブル（＝２４ビット）付加される。
【００７０】
９ニブル（３６ビット）のデータにおいては、Nibble0〜Nibble5の６ニブル（２４ビット）がＡＤＩＰアドレス情報、つまり図１０に示した２４ビットのウォブルアドレスに用いられる。
Nibble6〜Nibble8の３ニブル（１２ビット）が記録再生レーザパワー等の記録条件を記録したdisc ID等、ＡＵＸデータに用いられる。
Nibble9〜Nibble14の２４ビットはパリティとされる。
エラー訂正方式としては４ビットを１ニブルとした、nibbleベースのリードソロモン符号ＲＳ(15,9,7)である。つまり、符号長１５ニブル、データ９ニブル、パリティ６ニブルである。
【００７１】
Nibble0〜Nibble5については、図１２においてレイヤアドレス３ビット、ＲＵＢナンバ（クラスタアドレス）２０ビット、アドレスナンバ（クラスタ内アドレス）２ビットを示しているが、これは図１０（ａ）のＶｅｒ１．０ディスクの場合である。
図１０（ｂ）のＶｅｒ２．０ディスクの場合は、この２４ビットが、レイヤアドレス２ビット、ＲＵＢナンバ（クラスタアドレス）２１ビット、アドレスナンバ（クラスタ内アドレス）２ビットとなる。
【００７２】
図１３に、本例のＶｅｒ２．０ディスクに対する記録と、そのＶｅｒ２．０ディスクに対して再生を行う場合のアドレス処理の流れを示す。
処理Ｓ２０〜Ｓ２１は、Ｖｅｒ２．０ディスクへのウォブルアドレス記録までの流れを示している。なお、ここでいうウォブルアドレス記録とは、ディスク原盤に対するマスタリング工程において行われるウォブリンググルーブ形成の際のこととなる。従って、この場合の記録装置とはマスタリング装置となる。
【００７３】
処理Ｓ２０として、記録すべきアドレスデータを発生させる。つまり図１０（ｂ）のウォブルアドレスの２４ビット（６ニブル）である。
処理Ｓ２１として、ＥＣＣエンコードを行う。即ち処理Ｓ２０で発生させた６ニブルのウォブルアドレスに対して、３ニブルのＡＵＸデータ、６ニブルのパリティを生成する。即ち図１２の構造のエラー訂正符号化データを得る。
【００７４】
処理Ｓ２２として、ニブルの変形処理を行う。
図１２に示したようにエラー訂正符号化データは１５ニブル（Nibble14〜Nibble0）となる。この１５ニブルのうちの所定位置のニブルに対してビット反転処理を行う。なおニブルのビット反転とは、ニブルを形成する４ビット全てを反転させてもよいし、所定の一部ビットのみを反転させるものでもよい。
図１３では、処理Ｓ２２として「１１１１０００１００００１００」と図示している。
これは、「１」はビット反転処理を行うこと、「０」はビット反転処理を行わないことを示し、それを１５個のニブルの各位置に対応して示している。
つまり「１１１１０００１００００１００」は１５ニブル（Nibble14〜Nibble0）のそれぞれに対応して、ビット反転処理を行うか否かを表す。
この場合、「１」に対応するNibble14、Nibble13、Nibble12、Nibble11、Nibble7、Nibble2についてビット反転処理を行い、他のニブルについてはビット反転処理を行わないことを示す。
【００７５】
処理Ｓ２３としてディスクへの記録を行う。この場合、処理Ｓ２２の後におけるＡＤＩＰ情報に基づいてマスタリング（ディスク原盤のカッティング）を行い、ディスク原盤へＡＤＩＰ情報の変調信号に基づいて蛇行されたウォブリンググルーブ形成（露光）を行う。
後述するが、その後、ディスク原盤の現像、スタンパの作成、スタンパを用いたディスクの製造が行われる。
製造されるディスクは、Ｖｅｒ２．０ディスクとしての記録可能型ディスクとなる。
【００７６】
処理Ｓ２４〜Ｓ２６は、以上のようにウォブリンググルーブが形成されているＶｅｒ２．０ディスクに対して、Ｖｅｒ２．０ドライブ（本実施の形態の記録再生装置）で記録又は再生する場合のアドレス処理を示している。
【００７７】
Ｖｅｒ２．０ディスクのウォブリンググルーブから読み出された情報については、処理Ｓ２４として復元処理を行う。
マスタリング時の処理２２の変形処理により、ＡＤＩＰ情報の所定ニブルのデータはビット反転処理が施されているためである。
ここでも処理Ｓ２７として「１１１１０００１００００１００」と図示している。
上記同様に「１」はビット反転処理を行うこと、「０」はビット反転処理を行わないことを示し、それを１５個のニブルの各位置に対応して示している。従って、処理Ｓ２２と同じく、「１」に対応するNibble14、Nibble13、Nibble12、Nibble11、Nibble7、Nibble2についてビット反転処理を行い、他のニブルについてはビット反転処理を行わない。
すると、マスタリング時に処理Ｓ２１のＥＣＣエンコードにより得られた時点でのエラー訂正符号化データとして、図１２に示すＡＤＩＰ情報が得られることになる。
【００７８】
処理Ｓ２５で、ＡＤＩＰ情報（図１２の６０ビット単位のエラー訂正符号化データ）に対してエラー訂正デコードを行う。この場合、処理Ｓ２４の復元によって、処理Ｓ２１のＥＣＣエンコード時のＡＤＩＰ情報が対象としてエラー訂正デコードが行われるため、ウォブルアドレスの情報（図１０（ｂ）のＡ０〜Ａ２３）が正しく復号されることになる。
【００７９】
このようにＶｅｒ２．０ドライブによっては、Ｖｅｒ２．０ディスクの記録又は再生時においてウォブルアドレスを適正に読み出すことができる。従って、ウォブルアドレスを用いて通常に再生アクセスや記録アクセスを行うことができ、適正な再生動作、記録動作が可能となる。
【００８０】
一方、処理Ｓ２７〜Ｓ２９は、上記のようにウォブリンググルーブ形成が行われたＶｅｒ２．０ディスクを、Ｖｅｒ１．０ドライブ（従前の記録再生装置）で記録再生する場合のアドレス処理を示している。
【００８１】
Ｖｅｒ２．０ディスクのウォブリンググルーブから読み出された情報については、処理Ｓ２７としてのビット反転処理が行われる。
但し、この処理は処理２２の変形処理に対応した本例で言う「復元処理」ではなく、従前の記録再生装置で行われている処理である。
ウォブリンググルーブによるアドレス処理に関しては、マスタリング時及びウォブルアドレス読出時に、１５ニブルのうち６ニブルを反転させる処理が行われている。
これは、例えばＡＤＩＰ情報が入力されないときなどとして、ＥＣＣデコード処理に入力されるＡＤＩＰ情報が全て「０」になると、誤ってエラー訂正ＯＫとなる場合があり、これを回避するために行われているものである。
Ｖｅｒ１．０ディスクについては、図示のように１５ニブルについて、「０００００００００１１１１１１」としての反転（Nibble5〜Nibble0の反転）が、マスタリング時及びウォブルアドレス読出時に行われている。
【００８２】
Ｖｅｒ１．０ドライブでは、ＡＤＩＰ情報デコード時に、処理Ｓ２７としてこのような反転処理が行われる。そして、この反転処理されたＡＤＩＰ情報について、処理Ｓ２８としてＥＣＣデコード処理される。
ここでＶｅｒ２．０ディスクは、処理Ｓ２２による変形処理で「１１１１０００１００００１００」のビット反転処理が行われている。
すると、ＥＣＣデコードに供されるＡＤＩＰ情報は、処理Ｓ２２の「１１１１０００１００００１００」の反転処理と、処理２７の「０００００００００１１１１１１」の反転処理が加わることになり、「１１１１０００１０１１１０１１」の状態となる。
つまり処理Ｓ２１でのＥＣＣエンコード時のＡＤＩＰ情報に対して、Nibble14、Nibble13、Nibble12、Nibble11、Nibble7、Nibble5、Nibble4、Nibble3、Nibble1、Nibble0が反転された状態である。
このようなＡＤＩＰ情報に対しては、エラー訂正デコードできず、エラー訂正結果は「ＤＦ」（Decord Failure：エラー訂正失敗）となる。
つまり処理Ｓ２９として、ウォブルアドレス（Ａ０〜Ａ２３）は正しく復号できない。
【００８３】
このようにＶｅｒ１．０ドライブによっては、Ｖｅｒ２．０ディスクの記録／再生時においてウォブルアドレスを適正に読み出すことができない。従って、通常に再生アクセス、記録アクセスを行うことができず、エラー処理として再生動作、記録動作は開始されない。
換言すれば、Ｖｅｒ２．０ディスクを、Ｖｅｒ１．０ドライブで記録再生不能とすることができる。
【００８４】
なお上述したように、Ｖｅｒ１．０ドライブによっては、Ｖｅｒ２．０ディスクのデータ内アドレスについても読み出せない。
記録可能タイプのディスクの場合、メインデータ記録済であれば、ウォブルアドレスが読み出せなくとも、データ内アドレスによってアドレス読出が可能であれば、再生可能となることもあり得るが、ウォブルアドレスもデータ内アドレスも読み出せないようにすることにより、Ｖｅｒ１．０ドライブによって、記録可能タイプのＶｅｒ２．０ディスクに対する記録再生を、完全に不能とすることができる。
【００８５】
ところで、処理Ｓ２２の変形処理、処理Ｓ２４の復元処理では、１５ニブル（Nibble14〜Nibble0）のそれぞれに対して、「１１１１０００１００００１００」とする反転を行うものとした。
これは、Ｖｅｒ１．０ドライブにおいて、必ずエラー訂正失敗となるようにニブル反転位置を選んだものである。
【００８６】
再生時には、データは常に正しく再生されるものではなく、そもそもそのためエラー訂正が行われる。
すると、変形処理として敢えてビット反転させても、復号エラーによってビット反転されていない状態になってしまうことがある。これは、復号エラーの生じ方によっては、変形処理させたにもかかわらず、Ｖｅｒ１．０ドライブにおいてエラー訂正ＯＫとなる可能性があるということになる。ビット反転による変形が、復号エラーによって修正されてしまう部分が生ずることによる。
【００８７】
このため復号エラーが生じたとしても、Ｖｅｒ１．０ドライブにおいて必ず復号エラーとなるような変形処理を適切に選定する必要がある。ウォブルアドレスの場合、ビット反転するニブルの位置が重要となる。
【００８８】
図１２で述べたようにＡＤＩＰ情報は、nibbleベースのＲＳ(15,9,7)であって、シンボルが９ニブル、パリティが６ニブルであり、３ニブル訂正可能である。
すると、３ニブルの復号エラーが生じたとしても、その場合にＶｅｒ１．０ドライブにおいてＤＦ（エラー訂正失敗）とできればよい。
つまり１５ニブルに対する反転位置パターンとして、そのようなパターンを見つければよいことになる。
【００８９】
そこで反転位置の設定のため、１５ニブルに対する反転パターンとして考え得る全てのパターンについて、全ての反転位置パターンでビット復号エラーが発生した場合、エラー訂正が失敗となるか否かを検証した。
【００９０】
１５ニブルの反転位置のそれぞれのうちで、１誤り（ビット復号エラー）が発生する場合は、誤り発生のパターンとしては１５通りある。この１誤り発生の場合、１５通りの全てにおいて、Ｖｅｒ１．０ドライブにおいてエラー訂正失敗とすることができる。
また２誤り発生は１５７５通りあるが、これも全てにおいて、エラー訂正失敗とすることができる。
ところが３誤り１０２３７５通りを検証すると、９５７１７通りでエラー訂正失敗とできるが、残りの６６５８通りはエラー訂正ＯＫとなる。つまり、エラー訂正失敗とできる確率が約９５％に落ちてしまう。
また全誤り１０３９６５通りについては、９７３０７通りがエラー訂正失敗となり、残りはエラー訂正ＯＫとなってしまう。
【００９１】
つまり３誤り以上が発生すると、確実にエラー訂正失敗とさせることが困難である。但し、通常はアドレスデコードでは、アドレス連続性検出が併用される。
例えば仮に、アドレス値として「００」→「０１」→「０２」・・・という連続性が判別されており、或るアドレス値がデコードされても、前後と連続性が無い場合はアドレスエラーとされる。例えば「００」→「０１」→「８５」のように非連続な値の場合、エラー訂正ＯＫであっても、そのアドレス値「８５」はエラーとされる。
結局、Ｖｅｒ１．０ドライブでも、アドレス連続性検出が併用されることが通常であるので、エラー訂正がＯＫとなっても、連続性検出結果でアドレスエラーとなればよい。
【００９２】
すると、１５ニブルについて反転位置としては、最もエラー訂正失敗となるパターンを選ぶことが適切となる。
結局、図１４に示す（１）〜（１６）の１６パターンが、Ｖｅｒ１．０ドライブに対してエラー訂正失敗が最大になるパターンとして求められた。（「１」が反転を示す）
この１６パターンは、このような反転が、ＥＣＣエンコードされた１５ニブルのデータに与えられた状態で、Ｖｅｒ１．０ドライブのＥＣＣデコード処理に供されたとき、各種の復号エラー発生に対して、エラー訂正失敗が最大確率となるものである。
【００９３】
上記図１３で示した例は、（１６）のパターン「１１１１０００１０１１１０１１」を採用するものである。
上述のようにＶｅｒ１．０ドライブでは処理Ｓ２７として、「０００００００００１１１１１１」の反転が行われる。
従って、（１６）のパターン「１１１１０００１０１１１０１１」で反転された状態でＥＣＣデコード処理に供するには、「１１１１０００１０１１１０１１」と「０００００００００１１１１１１」についてのＥＸ−ＯＲをとった、「１１１１０００１００００１００」の反転を、予め与えておけばよい。
つまり、この「１１１１０００１００００１００」で示される「１」の位置のニブルに対するビット反転処理を処理Ｓ２２で行うことで、Ｖｅｒ１．０ドライブで、復号エラーがあったとしても、アドレスエラーによる記録再生不能の状態を確実に引き起こさせることができる。
【００９４】
なお、図１４の（１）〜（１５）のパターンを用いても良い。即ち（１）〜（１５）のうちのいずれかのパターンと、「０００００００００１１１１１１」のＥＸ−ＯＲをとったパターンを、処理Ｓ２２のビット反転処理のパターンとしてもよい。
その場合もＶｅｒ１．０ドライブでの記録再生不能の状態を確実に引き起こさせることができる。
【００９５】
［４．ディスクドライブ装置］
本発明の記録装置、再生装置の実施の形態となるディスクドライブ装置（Ｖｅｒ２．０ドライブ）の構成を図１５に示す。即ち実施の形態のＶｅｒ２．０ディスクに対して、記録時に図９の処理Ｓ１〜Ｓ６を行い、また再生時に図９の処理Ｓ７〜Ｓ１１、及び図１３の処理Ｓ２４〜Ｓ２６の処理を行うディスクドライブ装置である。
【００９６】
ディスク１００（Ｖｅｒ２．０ディスク）は、図示しないターンテーブルに積載され、記録／再生動作時においてスピンドルモータ２によって一定線速度（ＣＬＶ）で回転駆動される。
そしてディスク１００が記録可能タイプのディスクである場合、光学ピックアップ１によってディスク１００上のグルーブトラックのウォブリングとして埋め込まれたＡＤＩＰ情報の読み出しがおこなわれる。
また記録時には光学ピックアップによってトラックにメインデータがフェイズチェンジマークや色素変化マークとして記録され、再生時には光学ピックアップによって記録されたマーク（ユーザデータ及びデータ内アドレス等）の読出が行われる。
ディスク１００が再生専用タイプのディスクである場合、光学ピックアップ１によってディスク１００上のエンボスピット列によるトラックからユーザデータやデータ内アドレス等の読出が行われる。
【００９７】
ピックアップ１内には、レーザ光源となるレーザダイオードや、反射光を検出するためのフォトディテクタ、レーザ光の出力端となる対物レンズ、レーザ光を対物レンズを介してディスク記録面に照射し、またその反射光をフォトディテクタに導く光学系（図示せず）が形成される。
レーザダイオードは、波長４０５ｎｍのいわゆる青色レーザを出力する。また光学系によるＮＡは０．８５である。
【００９８】
ピックアップ１内において対物レンズは二軸機構によってトラッキング方向及びフォーカス方向に移動可能に保持されている。
またピックアップ１全体はスレッド機構３によりディスク半径方向に移動可能とされている。
またピックアップ１におけるレーザダイオードはレーザドライバ１３からのドライブ信号（ドライブ電流）によってレーザ発光駆動される。
【００９９】
ディスク１００からの反射光情報はフォトディテクタによって検出され、受光光量に応じた電気信号とされてマトリクス回路４に供給される。
マトリクス回路４には、フォトディテクタとしての複数の受光素子からの出力電流に対応して電流電圧変換回路、マトリクス演算／増幅回路等を備え、マトリクス演算処理により必要な信号を生成する。
例えば再生データに相当する高周波信号（再生データ信号）、サーボ制御のためのフォーカスエラー信号、トラッキングエラー信号などを生成する。
さらに、グルーブのウォブリングに係る信号、即ちウォブリングを検出する信号としてプッシュプル信号を生成する。
【０１００】
マトリクス回路４から出力される再生データ信号はリーダ／ライタ回路５へ、フォーカスエラー信号及びトラッキングエラー信号はサーボ回路１１へ、プッシュプル信号はウォブル回路８へ、それぞれ供給される。
【０１０１】
リーダ／ライタ回路５は、再生データ信号に対して２値化処理、ＰＬＬによる再生クロック生成処理等を行い、ピックアップ１により読み出されたデータを再生して、変復調回路６に供給する。
変復調回路６は、再生時のデコーダとしての機能部位と、記録時のエンコーダとしての機能部位を備える。
再生時にはデコード処理として、再生クロックに基づいてＲＬＬ（１−７）ＰＰ変調に対する復調処理を行う。
またＥＣＣエンコーダ／デコーダ７は、記録時にエラー訂正コードを付加するＥＣＣエンコード処理と、再生時にエラー訂正を行うＥＣＣデコード処理を行う。
再生時には、変復調回路６で復調されたデータを内部メモリに取り込んで、エラー検出／訂正処理及びデインターリーブ等の処理を行い、再生データを得る。
ＥＣＣエンコーダ／デコーダ７で再生データにまでデコードされたデータは、システムコントローラ１０の指示に基づいて、読み出され、ＡＶ（Audio-Visual）システム２０に転送される。
またＥＣＣエンコーダ／デコーダ７でデコードされたデータ内アドレス（ＡＵＮ０〜ＡＵＮ３）はシステムコントローラ１０に供給され、アクセス処理等に用いられる。
【０１０２】
グルーブのウォブリングに係る信号としてマトリクス回路４から出力されるプッシュプル信号は、ウォブル回路８において処理される。ＡＤＩＰ情報としてのプッシュプル信号は、ウォブル回路８においてＭＳＫ復調／ＳＴＷ復調され、ＡＤＩＰアドレスを構成するデータストリームに復調されてアドレスデコーダ９に供給される。
アドレスデコーダ９は、供給されるデータについてのデコードを行い、ウォブルアドレスとしてのアドレス値を得て、システムコントローラ１０に供給する。
またアドレスデコーダ９はウォブル回路８から供給されるウォブル信号を用いたＰＬＬ処理でクロックを生成し、例えば記録時のエンコードクロックとして各部に供給する。
【０１０３】
記録時には、ＡＶシステム２０から記録データが転送されてくるが、その記録データはＥＣＣエンコーダ／デコーダ７におけるメモリに送られてバッファリングされる。
この場合ＥＣＣエンコーダ／デコーダ７は、バファリングされた記録データのエンコード処理として、エラー訂正コード付加やインターリーブ、サブコード等の付加を行う。
またＥＣＣエンコードされたデータは、変復調回路６においてＲＬＬ（１−７）ＰＰ方式の変調が施され、リーダ／ライタ回路５に供給される。
記録時においてこれらのエンコード処理のための基準クロックとなるエンコードクロックは上述したようにウォブル信号から生成したクロックを用いる。
【０１０４】
エンコード処理により生成された記録データは、リーダ／ライタ回路５で記録補償処理として、記録層の特性、レーザー光のスポット形状、記録線速度等に対する最適記録パワーの微調整やレーザドライブパルス波形の調整などが行われた後、レーザドライブパルスとしてレーザードライバ１３に送られる。
レーザドライバ１３では供給されたレーザドライブパルスをピックアップ１内のレーザダイオードに与え、レーザ発光駆動を行う。これによりディスク１００に記録データに応じたマークが形成されることになる。
【０１０５】
なお、レーザドライバ１３は、いわゆるＡＰＣ回路（Auto Power Control）を備え、ピックアップ１内に設けられたレーザパワーのモニタ用ディテクタの出力によりレーザ出力パワーをモニターしながらレーザーの出力が温度などによらず一定になるように制御する。記録時及び再生時のレーザー出力の目標値はシステムコントローラ１０から与えられ、記録時及び再生時にはそれぞれレーザ出力レベルが、その目標値になるように制御する。
【０１０６】
サーボ回路１１は、マトリクス回路４からのフォーカスエラー信号、トラッキングエラー信号から、フォーカス、トラッキング、スレッドの各種サーボドライブ信号を生成しサーボ動作を実行させる。
即ちフォーカスエラー信号、トラッキングエラー信号に応じてフォーカスドライブ信号、トラッキングドライブ信号を生成し、ピックアップ１内の二軸機構のフォーカスコイル、トラッキングコイルを駆動することになる。これによってピックアップ１、マトリクス回路４、サーボ回路１１、二軸機構によるトラッキングサーボループ及びフォーカスサーボループが形成される。
【０１０７】
またサーボ回路１１は、システムコントローラ１０からのトラックジャンプ指令に応じて、トラッキングサーボループをオフとし、ジャンプドライブ信号を出力することで、トラックジャンプ動作を実行させる。
【０１０８】
またサーボ回路１１は、トラッキングエラー信号の低域成分として得られるスレッドエラー信号や、システムコントローラ１０からのアクセス実行制御などに基づいてスレッドドライブ信号を生成し、スレッド機構３を駆動する。スレッド機構３には、図示しないが、ピックアップ１を保持するメインシャフト、スレッドモータ、伝達ギア等による機構を有し、スレッドドライブ信号に応じてスレッドモータを駆動することで、ピックアップ１の所要のスライド移動が行なわれる。
【０１０９】
スピンドルサーボ回路１２はスピンドルモータ２をＣＬＶ回転させる制御を行う。
スピンドルサーボ回路１２は、ウォブル信号に対するＰＬＬ処理で生成されるクロックを、現在のスピンドルモータ２の回転速度情報として得、これを所定のＣＬＶ基準速度情報と比較することで、スピンドルエラー信号を生成する。
またデータ再生時においては、リーダ／ライタ回路５内のＰＬＬによって生成される再生クロック（デコード処理の基準となるクロック）が、現在のスピンドルモータ２の回転速度情報となるため、これを所定のＣＬＶ基準速度情報と比較することでスピンドルエラー信号を生成することもできる。
そしてスピンドルサーボ回路１２は、スピンドルエラー信号に応じて生成したスピンドルドライブ信号を出力し、スピンドルモータ２のＣＬＶ回転を実行させる。
またスピンドルサーボ回路１２は、システムコントローラ１０からのスピンドルキック／ブレーキ制御信号に応じてスピンドルドライブ信号を発生させ、スピンドルモータ２の起動、停止、加速、減速などの動作も実行させる。
【０１１０】
以上のようなサーボ系及び記録再生系の各種動作はマイクロコンピュータによって形成されたシステムコントローラ１０により制御される。
システムコントローラ１０は、ＡＶシステム２０からのコマンドに応じて各種処理を実行する。
【０１１１】
例えばＡＶシステム２０から書込命令（ライトコマンド）が出されると、システムコントローラ１０は、まず書き込むべきアドレスにピックアップ１を移動させる。そしてＥＣＣエンコーダ／デコーダ７、変復調回路６により、ＡＶシステム２０から転送されてきたデータ（例えばＭＰＥＧ２などの各種方式のビデオデータや、オーディオデータ等）について上述したようにエンコード処理を実行させる。そして上記のようにリーダ／ライタ回路５からのレーザドライブパルスがレーザドライバ１３に供給されることで、記録が実行される。
【０１１２】
また例えばＡＶシステム２０から、ディスク１００に記録されている或るデータ（ＭＰＥＧ２ビデオデータ等）の転送を求めるリードコマンドが供給された場合は、まず指示されたアドレスを目的としてシーク動作制御を行う。即ちサーボ回路１１に指令を出し、シークコマンドにより指定されたアドレスをターゲットとするピックアップ１のアクセス動作を実行させる。
その後、その指示されたデータ区間のデータをＡＶシステム２０に転送するために必要な動作制御を行う。即ちディスク１００からのデータ読出を行い、リーダ／ライタ回路５、変復調回路６、ＥＣＣエンコーダ／デコーダ７におけるデコード／バファリング等を実行させ、要求されたデータを転送する。
【０１１３】
なお、これらのデータ記録再生時には、システムコントローラ１０は、ウォブル回路８及びアドレスデコーダ９によって検出されるウォブルアドレスや、ＥＣＣエンコーダ／デコーダ７で得られるデータ内アドレスを用いてアクセスや記録再生動作の制御を行う。
【０１１４】
ここで、ＥＣＣエンコーダ／デコーダ７は、記録時には図９の処理Ｓ１〜Ｓ４を行うことになる。
即ちデータ内アドレスの記録のため、処理Ｓ１として、記録すべきアドレスユニットナンバ（ＡＵＮ０〜ＡＵＮ３）及びフラグデータを発生させる。そして処理Ｓ２としてＥＣＣエンコードを行い。ＡＵＮ０〜ＡＵＮ３及びフラグデータの５シンボルに対して、４シンボルのパリティ（Parity０〜Ｐarity３）を生成する。
そして処理Ｓ３の変形処理としてＡＵＮ０，ＡＵＮ１，Parity３，Parity２の４シンボルについてビット反転処理を行う。そして反転処理結果のシンボルでＥＣＣエンコードブロックとしてのアドレスフィールド形成を行う。
【０１１５】
このＥＣＣエンコードされたデータが変復調回路６に供給され、処理Ｓ５としてのＲＬＬ（１，７）ＰＰ変調される。そして処理Ｓ６として、ＲＷ回路５，レーザドライバ１３による変調信号に基づいたレーザ発光駆動が行われ、データ記録が行われるものとなる。
【０１１６】
また再生時には、データ内アドレス再生のために、ＥＣＣエンコーダ／デコーダ７は、図９の処理Ｓ８〜Ｓ１１を行うことになる。
ディスク１００から読み出された情報は、上記のようにマトリクス回路４、ＲＷ回路５、変復調回路６によって復調される（処理Ｓ７）。
これによりアドレス情報に関しては、図７（ａ）のアドレスユニットＡＵ０〜ＡＵ１５を構成する各アドレスフィールドのデータが得られ、ＥＣＣエンコーダ／デコーダ７に供給される。
但し、記録時の処理Ｓ３の変形処理により、所定のアドレスフィールドのデータはビット反転処理が施されているため、ＥＣＣエンコーダ／デコーダ７は、処理Ｓ８としての復元処理を行う。例えばアドレスユニットＡＵを構成する９シンボルのうちＡＵＮ０，ＡＵＮ１，Parity３，Parity２の４シンボルについてビット反転処理を行う。この復元処理により、元のアドレスフィールドのデータが得られる（処理Ｓ９）。
そしてＥＣＣエンコーダ／デコーダ７は処理Ｓ１０としてのＥＣＣデコード処理を行う。これによってアドレス情報（ＡＵＮ０〜ＡＵＮ３）が復号され、ＣＣエンコーダ／デコーダ７はアドレス情報をシステムコントローラ１０に供給する。
【０１１７】
記録可能タイプのディスク１００の記録再生時は、アドレスデコーダ９によって図１３の処理Ｓ２４〜Ｓ２６が行われる。
ディスク１００のウォブリンググルーブから読み出された情報について、アドレスデコーダ９は、処理Ｓ２４として復元処理を行う。例えば図１３に「１１１１０００１００００１００」として示した場合であればNibble14、Nibble13、Nibble12、Nibble11、Nibble7、Nibble2についてビット反転処理を行うことになる。
これにより、ＥＣＣエンコード時のＡＤＩＰ情報が得られる。その状態で処理Ｓ２５としてのＥＣＣエンコードを行い、ウォブルアドレスを復号する（Ｓ２６）。このウォブルアドレスをシステムコントローラ１０に供給する。
【０１１８】
本例のディスクドライブ装置では、以上の処理を行うことで、Ｖｅｒ２．０ディスクに対しての記録又は再生時において、データ内アドレスやウォブルアドレスを適正に読み出すことができる。従って適正な再生動作、記録動作が可能となる。
【０１１９】
なお、この図１５の構成例は、ＡＶシステム２０に接続されるディスクドライブ装置としたが、実施の形態のディスクドライブ装置としては例えばパーソナルコンピュータ等と接続されるものとしてもよい。
さらには他の機器に接続されない形態もあり得る。その場合は、操作部や表示部が設けられたり、データ入出力のインターフェース部位の構成が、図１５とは異なるものとなる。つまり、ユーザーの操作に応じて記録や再生が行われるとともに、各種データの入出力のための端子部が形成されればよい。
もちろん構成例としては他にも多様に考えられ、例えば記録専用装置、再生専用装置としての例も考えられる。
【０１２０】
［５．マスタリング装置］
続いて、本発明の記録装置の実施の形態となるマスタリング装置を説明する。
ディスクの製造プロセスは、大別すると、いわゆる原盤工程（マスタリングプロセス）と、ディスク化工程（レプリケーションプロセス）に分けられる。原盤工程はディスク化工程で用いる金属原盤（スタンパー）を完成するまでのプロセスであり、ディスク化工程はスタンパーを用いて、その複製である光ディスクを大量生産するプロセスである。
【０１２１】
具体的には、原盤工程は、研磨した硝子基板にフォトレジストを塗布し、この感光膜にレーザビームによる露光によってピットやグルーブを形成する、いわゆるカッティングを行なう。
本例の場合、ディスクの最内周側のＰＢゾーン（図２参照）に相当する部分でプリレコーデッド情報に基づいたウォブリングによるグルーブのカッティングが行われる。またＲＷゾーンに相当する部分で、ＡＤＩＰアドレスに基づいたウォブリングによるグルーブのカッティングが行われる。 記録するプリレコーデッド情報はプリマスタリングと呼ばれる準備工程で用意される。
【０１２２】
カッティングが終了すると、現像等の所定の処理を行なった後、例えば電鋳によって金属表面上への情報の転送を行ない、ディスクの複製を行なう際に必要なスタンパーを作成する。
次に、このスタンパーを用いて例えばインジェクション法等によって、樹脂基板上に情報を転写し、その上に反射膜を生成した後、必要なディスク形態に加工する等の処理を行なって、最終製品を完成する。これが本例のＶｅｒ２．０ディスクとなる。
【０１２３】
マスタリング装置は、例えば図１６に示すように、プリレコーデッド情報発生部７１，アドレス発生部７２、切換部７３、カッティング部７４、コントローラ７０を備える。
プリレコーデッド情報発生部７１は、プリマスタリング工程で用意されたプリレコーデッド情報を出力する。
アドレス発生部７２は、絶対アドレスとしての値を順次出力する。
【０１２４】
カッティング部７４は、無機レジスト等が塗布された硝子基板１０１にレーザービームを照射してカッティングを行なう光学部（８２，８３，８４）を備える。また硝子基板１０１を回転駆動及びスライド移送する基板回転／移送部８５を備える。また入力データを記録データに変換して光学部に供給する信号処理部８１と、基板回転／移送部８５の位置から、カッティング位置がＰＢゾーンとＲＷゾーンのいずれであるかを判別できるようにしたセンサ８６を有する。
【０１２５】
上記光学部としては、レーザ光源８２と、このレーザ光源８２からの出射光を記録データに基づいて変調する変調部８３と、変調部８３からの変調ビームを集光して硝子基板１０１のフォトレジスト面に照射するカッティングヘッド部８４が設けられている。
変調部８３としてはレーザ光源８２からの出射光をオン／オフする音響光学型の光変調器（ＡＯＭ）と、さらにレーザ光源８２からの出射光をウォブル生成信号に基づいて偏向する音響光学型の光偏向器（ＡＯＤ）が設けられる。
【０１２６】
また、基板回転／移送部８５は、硝子基板１０１を回転駆動する回転モータと、回転モータの回転速度を検出する検出部（ＦＧ）と、硝子基板１０１をその半径方向にスライドさせるためのスライドモータと、回転モータ、スライドモータの回転速度や、カッティングヘッド部８４のトラッキング等を制御するサーボコントローラなどを有して構成される。
【０１２７】
信号処理部８１は、例えば切換部７３を介して供給されるプリレコーデッド情報やアドレス情報に対して、例えばエラー訂正符号等を付加して入力データを形成するフォーマティング処理や、フォーマティング処理データに所定の演算処理を施して変調信号を形成する変調信号生成処理を行う。
そして変調信号に基づいて変調部８３の光変調器及び光偏向器を駆動する駆動処理も行う。
【０１２８】
カッティング部７４では、カッティングの際、基板回転／移送部８５が硝子基板１０１を一定線速度で回転駆動するとともに、硝子基板７１を回転させたまま、所定のトラックピッチでらせん状のトラックが形成されていくようにスライドさせる。
同時に、レーザ光源８２からの出射光は変調部８３を介して、信号処理部８１からの変調信号に基づく変調ビームとされてカッティングヘッド部８４から硝子基板７１のフォトレジスト面に照射されていき、その結果、フォトレジストがデータやグルーブに基づいて感光される。
【０１２９】
コントローラ７０は、このようなカッティング部７４のカッティング時の動作を実行制御するとともに、センサ８６からの信号を監視しながらプリレコーデッド情報発生部７１、アドレス発生部７２、切換部７３を制御する。
コントローラ７０は、カッティング開始時には、カッティング部７４に対してカッティングヘッド部８４が最内周側からレーザ照射を開始するように、基板回転／移送部８５のスライド位置を初期位置とさせる。そして硝子基板１０１のＣＬＶ回転駆動と、所定トラックピッチのグルーブを形成するためのスライド移送を開始させる。
この状態で、プリレコーデッド情報発生部７１からプリレコーデッド情報を出力させ、切換部７３を介して信号処理部８１に供給させる。また、レーザ光源８２からのレーザ出力を開始させ、変調部８３は信号処理部８１からの変調信号、即ちプリレコーデッド情報のＦＭコード変調信号に基づいてレーザ光を変調させ、硝子基板１０１へのグルーブカッティングを実行させる。
これにより、ＰＢゾーンに相当する領域にグルーブのカッティングが行われていく。
【０１３０】
その後、コントローラ７０はセンサ８６の信号から、カッティング動作がＰＢゾーンに相当する位置まで進んだことを検出したら、切換部７３をアドレス発生部７２側に切り換えると共に、アドレス発生部７２からアドレス値を順次発生させるように指示する。
これによりアドレス発生部７２からアドレス情報が切換部７３を介して信号処理部８１に供給される。そして、レーザ光源８２からのレーザ光は変調部８３において信号処理部８１からの変調信号、即ちアドレス情報の変調信号に基づいて変調され、その変調レーザ光により硝子基板１０１へのグルーブカッティングが実行される。
これにより、ＲＷゾーンに相当する領域に、ウォブルアドレスを含むグルーブのカッティングが行われていく。
コントローラ７０はセンサ８６の信号から、当該カッティング動作がリードアウトゾーンの終端に達したことを検出したら、カッティング動作を終了させる。
【０１３１】
このような動作により、硝子基板１０１上にＰＢゾーン及びＲＷゾーンとしてのウォブリンググルーブに対応する露光部が形成されていく。
その後、現像、電鋳等を行ないスタンパーが生成され、スタンパーを用いて上述のディスクが生産される。
【０１３２】
ここで、信号処理部８１では、アドレス発生部７２から順次供給されるアドレス情報に関して、図１３の処理Ｓ２１、Ｓ２２を行うことになる。
図１３の処理Ｓ２０としてのアドレスデータ発生は、アドレス発生部７２の処理となる。つまり図１０（ｂ）のウォブルアドレスの２４ビット（６ニブル）をアドレス発生部７２が出力する。
信号処理部８１は、処理Ｓ２１としてのＥＣＣエンコードを行う。即ち処理Ｓ２０で発生させた６ニブルのウォブルアドレスに対して、３ニブルのＡＵＸデータ、６ニブルのパリティを生成し、図１２の構造のエラー訂正符号化データを得る。そして処理Ｓ２２として、ニブルの変形処理を行う。即ち図１３で「１１１１０００１００００１００」と図示したビット反転処理として、Nibble14、Nibble13、Nibble12、Nibble11、Nibble7、Nibble2についてビット反転処理を行う。
信号処理部８１は、このように処理したＡＤＩＰ情報により変調信号を生成し、変調部８３を制御することになる。
これによって図１３で述べたウォブルアドレスに関する露光処理が行われる。
【０１３３】
なお、再生専用タイプのディスクを想定した場合のマスタリング装置は、ウォブリンググルーブではなく、ピット列の露光を行うものとなる。
その場合、アドレス情報及びユーザデータが上述した図３，図６〜図８の構造でエンコードされ、エンコードデータに応じてレーザ光源８２からのレーザ光が変調されることになる。
そのようなマスタリング装置の場合は、図１６のプリレコーデッド情報発生部７１に代えてユーザデータ発生部を設ける。そしてユーザデータ及びアドレス発生部７２からのアドレス情報（ＡＵＮ）について、信号処理部８１でＥＣＣエンコードを行う。この際に、図９の処理Ｓ２〜Ｓ５が行われることになる。
これによってＶｅｒ２．０ディスクとしての再生専用ディスク製造のための原盤のピット列露光が行われる。その後、現像、スタンパ製造、基板作成、記録層やカバー層等の層形成が行われ、Ｖｅｒ２．０ディスクが製造される。
【０１３４】
以上、実施の形態のディスク及びそれに対応するディスクドライブ装置、マスタリング装置について説明してきたが、本発明はこれらの例に限定されるものではなく、要旨の範囲内で各種変形例が考えられるものである。
【符号の説明】
【０１３５】
１  ピックアップ、２  スピンドルモータ、３  スレッド機構、４  マトリクス回路、５  リーダ／ライタ回路、６  変復調回路、７  ＥＣＣエンコーダ／デコーダ、８  ウォブル回路、９  アドレスデコーダ、１０  システムコントローラ、１１  サーボ回路、１２  スピンドルサーボ回路、１３  レーザドライバ、２０  ＡＶシステム、７０  コントローラ、７１  プリレコーデッド情報発生部、７２  アドレス発生部、７３  切換部、７４  カッティング部、１００  ディスク
【図１】
2010262713.tif 000003
【図２】
2010262713.tif 000004
【図３】
2010262713.tif 000005
【図４】
2010262713.tif 000006
【図５】
2010262713.tif 000007
【図６】
2010262713.tif 000008
【図７】
2010262713.tif 000009
【図８】
2010262713.tif 000010
【図９】
2010262713.tif 000011
【図１０】
2010262713.tif 000012
【図１１】
2010262713.tif 000013
【図１２】
2010262713.tif 000014
【図１３】
2010262713.tif 000015
【図１４】
2010262713.tif 000016
【図１５】
2010262713.tif 000017
【図１６】
2010262713.tif 000018